(57)【要約】【課題】  ゼムクリップにおいて、書類の束を挟みやすくする。【解決手段】  全体形状を三角状にしたクリップ本体１において、線材の内側先頭部分４を曲げて中央仮想線５上に摘み部６を形成する。【選択図】図１
2014148153.tif 000002
【特許請求の範囲】
【請求項１】
全体形状を三角状にしたクリップ本体（１）において、線材の内側先頭部分（４）を曲げて中央仮想線（５）上に摘み部（６）を形成したゼムクリップ。
【請求項２】
全体形状を三角状にしたクリップ本体（１）において、少なくとも一つの角を湾曲させた、請求項１に記載のゼムクリップ。
【請求項３】
線材の内側先頭部分（４）において、腕部（７）を介して湾曲または屈曲させて摘み部（６）を形成した、請求項１または請求項２に記載のゼムクリップ。
【請求項４】
底辺（８）と底辺（８）寄りの書類押さえ部（９）における直状部分上端との間には、少なくとも０．５ｍｍ以上、その下端との間には、少なくとも１．５ｍｍ以上の隙間（１０）を設けた、請求項１または請求項２または請求項３に記載のゼムクリップ。
【発明の詳細な説明】
【発明の詳細な説明】
【技術分野】
【０００１】  本発明はゼムクリップに関する。
【背景技術】
【０００２】  従来の通常のゼムクリップは厚手の書類の束を挟むと捩じ曲がりかさばってしまうとともに、書類の束を比較的しっかりと冊子のようにまとめられなかった。
本出願人が先に発明して出願した特開２０００−２１８９７４の「ゼムクリップ」は、それらの欠点を解決したものであるが、その後試作品を作ってよく検討した結果、書類の束を必ずしもスムーズに挟めないことが分かった。
また、特開２００４−２３７６３５の「事務用クリップ」は、製品自体がかさばるだけでなく、直角に起立した二つの巻き輪があるために、押し開いて書類の束を挟む際の操作性が悪く、スムーズに挟めない。更に、何箇所か線材の巻き方向が変わるために、製造速度が落ちる。
また、特開２００５−２４６６１８の「厚手書類用クリップ」は、厚手の書類の束を挟むことができるものの、線材が交差する箇所があるため、書類の束をクリップで押し開く方向が決まっていて、挟む際の操作性が悪く、スムーズに挟めない。
【先行技術文献】
【特許文献】
【０００３】
【特許文献１】特開２０００−２１８９７４号公報
【特許文献２】特開２００４−２３７６３５号公報
【特許文献３】特開２００５−２４６６１８号公報
【発明の概要】
【発明が解決しようとする課題】
【０００４】  本発明の解決しようとする課題は、書類の束を一層挟みやすくすることである。
【課題を解決するための手段】
【０００５】  本発明のゼムクリップは、全体形状を三角状にしたクリップ本体において、線材の内側先頭部分を曲げて中央仮想線上に摘み部を形成したものである。【０００６】  また、本発明のゼムクリップは、全体形状を三角状にしたクリップ本体において、少なくとも一つの角を湾曲させたものである。【０００７】  また、本発明のゼムクリップは、線材の内側先頭部分において、腕部を介して湾曲または屈曲させて摘み部を形成したものである。【０００８】  また、本発明のゼムクリップは、底辺と底辺寄りの書類押さえ部における直状部分上端との間には、少なくとも０．５ｍｍ以上、その下端との間には、少なくとも１．５ｍｍ以上の隙間を設けたものである。
【発明の効果】
【０００９】  前発明のゼムクリップにおける指押し部が、親指または人差し指の先で書類押さえ部をどちらかの方向に押し開いて書類の束を挟むのに対し、本発明のゼムクリップにおける摘み部は、親指と人差し指の先で摘み部を摘んで、書類押さえ部をどちらかの方向に押し開いて書類の束を挟むものなので、摘み部が中央仮想線上にあることとあいまって、はるかに挟みやすい。その際、隙間があれば摘み部が一層摘みやすくなる。
【発明を実施するための最良の形態】
【００１０】  本発明のゼムクリップの最良の実施形態は、図１に示すように、全体形状を長めの三角状にするとともに、少なくとも一つの角を湾曲させたクリップ本体１において、線材の内側先頭部分４を湾曲させて中央仮想線５上に略円形の摘み部６を形成したもので、隙間１０を設けたこととあいまって摘みやすくなり、書類の束１１を挟む際の操作性が著しく向上する。また、全体形状を長め（細め）の三角状にしたため、単に書類の束を挟む際に挟みやすいだけでなく、図４からも明らかなとおり、書類の束の左端から折り曲げ線までの幅を狭くできる。また、摘み部６が略円形なため、書類の束１１を挟む際に書類の束の先端が引っ掛かりにくくなる。
なお、その隙間１０の長さは、底辺８と底辺８寄りの書類押さえ部９における直状部分上端との間には、少なくとも０．５ｍｍ以上、望ましくはクリップ本体１の大きさにもよるが、２〜５ｍｍ、その下端との間には、少なくとも１．５ｍｍ以上、望ましくはクリップ本体１の大きさにもよるが、２〜５ｍｍが必要である。
【実施例１】
【００１１】  本発明の実施例１を図２により説明する。これは湾曲部３をなしにするとともに、上部の一辺を傾斜させずに全体の概観を左右対称にしたもので、後記（［００１６］）のとおり、冊子のようにまとめる用途を除外して、５０枚とか６０枚とかの書類を単にまとめておくだけの用途に限定したものである。なお、図２のように上部の一辺を短めにするだけなら、冊子のようにまとめるのに特に差し障りはない。
【実施例２】
【００１２】  本発明の実施例２を図３（Ｂ）により説明する。これは線材の内側先頭部分４において、腕部７を介して湾曲させて摘み部６を形成したもので、上部の一辺２が超大型クリップのように長めのときに適している。
【実施例３】
【００１３】  本発明の実施例３を図３（Ａ）により説明する。これは線材の内側先頭部分４を湾曲させたものである。
【実施例４】
【００１４】  本発明の実施例４を図３（Ｃ）により説明する。これは線材の内側先頭部分４を屈曲させたもので、摘みやすさは上記の実施例３と略同じである。【００１５】  従来の通常のゼムクリップでは、何枚もの書類の束１１を挟むと、捩じれてかさばってしまうが、本発明のゼムクリップでは、ほとんど捩じれない。例えば長さが５０ｍｍの市販の大型のゼムクリップを延ばして１本の線材にすると、約１６０ｍｍの長さになり、それを曲げて本発明のゼムクリップを作ると、４５ｍｍと略同じ長さになるが、この２種類のゼムクリップ（長さが５０ｍｍの市販の大型ゼムクリップと４５ｍｍの本発明のゼムクリップ）を厚さが５ｍｍ強の６０枚のコピー用紙の束に取り付けると、前者は著しく歪んで捩じ曲がり、上下の寸法（厚さ）が約１５ｍｍにもなるのに対し、後者はさほど歪まず、その上下の寸法は僅かに約１０ｍｍである。従って、本発明のゼムクリップは、便利なだけでなく資源の節約にもなる。【００１６】  今までは、図４に示すように、書類の束１１を冊子のようにまとめる用途も大切だと考えて、本発明を説明してきた。そのため、図１・図４に示すように、上部の一辺２を短く且つ傾斜させるとともに、他の二辺をかなり長くした縦長（細め）の三角状にしてきた。しかし、冊子のようにまとめる用途を除外して、５０枚とか６０枚とかの書類を単にまとめておくだけの用途に限定すれば、必ずしも上部の一辺２はさほど傾斜させる必要もなく、また短くする必要もなくなる。また、３箇所の角における湾曲の度合いも、必ずしも１箇所だけ大きくする必要もなく、全部同じにしてもよい。
【図面の簡単な説明】
【００１７】
【図１】  本発明に係る湾曲部のある大型のゼムクリップの実施形態を示す平面図である。
【図２】  同湾曲部のない中型のゼムクリップの実施形態を示す平面図である。
【図３】  （Ａ）（Ｂ）（Ｃ）は、摘み部の別の実施形態を示す部分平面図である。
【図４】  書類の束に取り付けて冊子のようにした、使用状態を示す部分平面図である。本発明のゼムクリップは、必要に応じて何個使用してもよい。
【符号の説明】
【００１８】  １：クリップ本体
２：上部の一辺
３：湾曲部
４：線材の内側先頭部分（摘み部６）
５：中央仮想線
６：摘み部
７：腕部
８：底辺
９：底辺８寄りの書類押さえ部
１０：隙間
１１：書類の束
１２：折り曲げ線
【図１】
2014148153.tif 000003
【図２】
2014148153.tif 000004
【図３】
2014148153.tif 000005
【図４】
2014148153.tif 000006